(57)【要約】【課題】導体に照明駆動装置が配置された場合でも、通信部の通信機能と通信品質とを確保することができる照明駆動装置および照明器具を提供する。【解決手段】照明駆動装置１０は、造営材に設置される。また、照明駆動装置１０は、電波を通過させるスリット２１ａが形成される金属筐体２０と、金属筐体２０に収容され、無線通信をする通信部４３と、金属筐体２０に収容され、発光装置に電力を供給する駆動回路４１と、金属筐体２０に設けられ、スリット２１ａと造営材とを離間させる絶縁部（ガイド部１１０）とを備える。【選択図】図３
2018133315.tif 000002
【特許請求の範囲】
【請求項１】
造営材に設置される照明駆動装置であって、
電波を通過させるスリットが形成される金属筐体と、
前記金属筐体に収容され、無線通信をする通信部と、
前記金属筐体に収容され、発光装置に電力を供給する駆動回路と、
前記金属筐体に設けられ、前記スリットと前記造営材とを離間させる絶縁部とを備える
照明駆動装置。
【請求項２】
前記造営材は、導体であり、
前記絶縁部は、前記金属筐体を前記導体に設置するためのガイド部であり、
前記ガイド部は、前記導体と前記スリットとが立体交差するように、前記金属筐体を前記導体に配置する
請求項１に記載の照明駆動装置。
【請求項３】
前記導体は、長尺状をなし、
前記ガイド部は、前記導体と前記スリットとを平面視した場合に、前記導体と前記スリットとが略直交するように前記金属筐体を配置する
請求項２に記載の照明駆動装置。
【請求項４】
前記ガイド部は、前記金属筐体の動きを抑制する立壁部を有する
請求項２又は３に記載の照明駆動装置。
【請求項５】
前記ガイド部は、一対の前記立壁部を有し、
前記導体に当該照明駆動装置を設置する際に、前記一対の立壁部は、前記導体を挟み込む
請求項４に記載の照明駆動装置。
【請求項６】
前記ガイド部は、一対の前記立壁部を有し、
前記一対の立壁部は、前記立壁部が立ち上がる方向に向かって幅が広がっている
請求項４に記載の照明駆動装置。
【請求項７】
前記導体と前記スリットとの距離は、２０（ｍｍ）以下である
請求項２〜６のいずれか１項に記載の照明駆動装置。
【請求項８】
前記金属筐体には、複数の前記スリットが形成され、
前記複数のスリットが形成される前記金属筐体の部分には、前記絶縁部が設けられる
請求項１〜７のいずれか１項に記載の照明駆動装置。
【請求項９】
前記絶縁部は、前記スリットの全てを覆う
請求項１〜８のいずれか１項に記載の照明駆動装置。
【請求項１０】
前記絶縁部は、前記金属筐体から着脱自在である
請求項１〜９のいずれか１項に記載の照明駆動装置。
【請求項１１】
前記発光装置と、
前記発光装置に電力を供給する請求項１〜１０のいずれか１項に記載の照明駆動装置とを備える
照明器具。
【発明の詳細な説明】
【技術分野】
【０００１】
本発明は、照明駆動装置および照明駆動装置を備えた照明器具に関する。
【背景技術】
【０００２】
従来、光源（発光装置の一例）に電力を供給するための電源回路（駆動回路の一例）と、無線信号を送信又は受信するためのアンテナと、電源回路およびアンテナを収納する金属筐体とを備えた照明器具が開示されている（例えば特許文献１参照）。金属筐体には、開口部（スリットの一例）が形成されている。アンテナは、開口部から電波を放射するように配置される。
【０００３】
この照明器具では、無線通信の通信機能を確保し、かつ、通信品質を向上させることができる。
【先行技術文献】
【特許文献】
【０００４】
【特許文献１】特開２０１６−５８１６７号公報
【発明の概要】
【発明が解決しようとする課題】
【０００５】
しかしながら、照明器具を天井、壁などの造営材に取付け施工する際に、駆動回路、金属筐体等を備えた照明駆動装置の配置の制限により、照明駆動装置が金属製の梁等の造営材に配置されることがある。この場合、金属筐体にスリットを形成していても、照明駆動装置の配置によっては、金属製の梁がスリットを塞いでしまうことがある。
【０００６】
そこで、本発明は、導体に照明駆動装置が配置された場合でも、通信部の通信機能と通信品質とを確保することができる照明駆動装置および照明器具を提供することを目的とする。
【課題を解決するための手段】
【０００７】
上記目的を達成するため、本発明の一態様に係る照明駆動装置は、造営材に設置される照明駆動装置であって、電波を通過させるスリットが形成される金属筐体と、前記金属筐体に収容され、無線通信をする通信部と、前記金属筐体に収容され、発光装置に電力を供給する駆動回路と、前記金属筐体に設けられ、前記スリットと前記造営材とを離間させる絶縁部とを備える。
【０００８】
また、上記目的を達成するため、本発明の一態様に係る照明器具は、前記発光装置と、前記発光装置に電力を供給する照明駆動装置とを備える。
【発明の効果】
【０００９】
本発明によれば、導体に照明駆動装置が配置された場合でも、通信部の通信機能と通信品質とを確保することができる。
【図面の簡単な説明】
【００１０】
【図１】図１は、実施の形態に係る照明器具を示す図である。
【図２】図２の（ａ）は、実施の形態に係る照明駆動装置を示す平面図である。図２の（ｂ）は、実施の形態に係る照明駆動装置を示す側面図である。図２の（ｃ）は、実施の形態に係る照明駆動装置を示す背面図である。
【図３】図３の（ａ）は、実施の形態に係る照明駆動装置、ガイド部及び導体をＺ軸プラス方向側から見た斜視図である。図３の（ｂ）は、実施の形態に係る照明駆動装置及びガイド部をＺ軸マイナス方向側から見た斜視図である。
【図４】図４は、図３の（ｂ）のＩＶ−ＩＶ線における、実施の形態に係る照明駆動装置およびガイド部を示す部分拡大断面図である。
【図５】図５の（ａ）は、スリットから放射される指向特性をＸ軸方向及びＹ軸方向で規定されるＸＹ平面で切断した場合の、平均利得とスリットから導体までの距離との関係を示すグラフである。図５の（ｂ）は、スリットから放射される指向特性をＹ軸方向及びＺ軸方向で規定されるＹＺ平面で切断した場合の、平均利得とスリットから導体までの距離との関係を示すグラフである。図５の（ｃ）では、スリットから放射される指向特性をＺ軸方向及びＸ軸方向で規定されるＺＸ平面で切断した場合の、平均利得とスリットから導体までの距離との関係を示すグラフである。
【図６】図６は、ＸＹ平面、ＹＺ平面およびＺＸ平面おける平均利得を示すグラフである。
【図７】図７の（ａ）は、実施の形態の変形例１に係る照明駆動装置およびガイド部を示す側面図である。図７の（ｂ）は、実施の形態の変形例１に係る照明駆動装置およびガイド部を示す背面図である。
【図８】図８の（ａ）は、実施の形態の変形例２に係る照明駆動装置およびガイド部を示す側面図である。図８の（ｂ）は、実施の形態の変形例２に係る照明駆動装置およびガイド部を示す背面図である。
【図９】図９の（ａ）は、実施の形態の変形例３に係る照明駆動装置およびガイド部を示す側面図である。図９の（ｂ）は、実施の形態の変形例３に係る照明駆動装置およびガイド部を示す背面図である。
【発明を実施するための形態】
【００１１】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
また、「略＊＊」との記載は、「略同一」を例に挙げて説明すると、全く同一はもとより、実質的に同一と認められるものを含む意図である。
【００１３】
なお、各図は、模式図であり、必ずしも厳密に図示されたものではない。また、各図において、実質的に同一の構成に対しては同一の符号を付しており、重複する説明は省略又は簡略化する。
【００１４】
以下、本発明の実施の形態に係る照明駆動装置および照明器具について説明する。
【００１５】
（実施の形態）
［構成］
まず、実施の形態に係る照明駆動装置１０および照明器具１の構成について図１〜図４を用いて説明する。
【００１６】
図１は、実施の形態に係る照明器具１を示す部分断面図である。図２の（ａ）は、実施の形態に係る照明駆動装置１０を示す平面図である。図２の（ｂ）は、実施の形態に係る照明駆動装置１０を示す側面図である。図２の（ｃ）は、実施の形態に係る照明駆動装置１０を示す背面図である。図２では、導体５を二点鎖線で示している。図３の（ａ）は、実施の形態に係る照明駆動装置１０、ガイド部１１０及び導体５をＺ軸プラス方向側から見た斜視図である。図３の（ｂ）は、実施の形態に係る照明駆動装置１０及びガイド部１１０をＺ軸マイナス方向側から見た斜視図である。図４は、図３の（ｂ）のＩＶ−ＩＶ線における、実施の形態に係る照明駆動装置１０およびガイド部１１０の側面を示す部分拡大断面図である。
【００１７】
スリット２１ａの長手方向をＸ軸方向と規定し、導体５の長手方向をＹ軸方向と規定し、Ｘ軸方向及びＹ軸方向と直交する方向をＺ軸方向と規定し、Ｘ、Ｙ、Ｚの各方向を表示する。照明駆動装置１０に対して器具本体１００側をＸ軸プラス方向側、金属筐体２０を平面視でスリット２１ａが形成されている側をＹ軸プラス方向側、導体５の上側の照明駆動装置１０をＺ軸プラス方向側と規定する。そして、図１に示す各方向は、全て図２に示す各方向に対応させて表示する。図２以降の図においても、同様である。
【００１８】
図１に示すように、照明器具１は、例えばダウンライト等であり、天井３に形成された埋込孔３ａに取り付けた状態を示している。本実施の形態に係る照明器具１は、例えば、住宅などの天井３に埋込配設されることにより床又は壁等に光を照射する埋込型の照明器具１である。なお、照明器具１は、直管形ＬＥＤランプであってもよい。
【００１９】
照明器具１は、照明駆動装置１０と、器具本体１００とを備える。
【００２０】
照明駆動装置１０は、例えば天井などに設置される。照明駆動装置１０は、交流電力の供給元である系統電力（商用電源）に電源線８２を介して接続される。照明駆動装置１０は、配線８１を介して器具本体１００に電気的に接続されており、器具本体１００に電力を供給する装置である。照明駆動装置１０は、Ｘ軸方向に長尺な装置である。ここで、照明駆動装置１０を設置する場合の造営材は、例えば金属材料で形成された梁等の長尺状の金属製の導体５であるが、天井、壁等であってもよい。
【００２１】
照明駆動装置１０は、金属筐体２０と、ガイド部１１０と、駆動回路４１と、通信部４３とを備える。
【００２２】
金属筐体２０は、駆動回路４１、通信部４３等を内部に収容する金属製の箱体である。金属筐体２０は、Ｘ軸方向に長尺である。金属筐体２０は、例えば、アルミニウムなどの金属製の板部材を折曲することにより成形される。
【００２３】
図２（ａ）〜（ｃ）に示すように、金属筐体２０は、略矩形の複数の面を有する。具体的には、金属筐体２０は、底部２１と、天井部２３と、第１側壁部３１と、第２側壁部３２と、第３側壁部３３と、第４側壁部３４とを有する。
【００２４】
底部２１は、金属筐体２０のＺ軸マイナス方向側の底壁であり、Ｘ軸方向およびＹ軸方向で規定される平面に対して略平行である。天井部２３は、底部２１と対向配置され、金属筐体２０のＺ軸プラス方向側の壁（天井）であり、底部２１と略平行である。第１側壁部３１は、底部２１および天井部２３のＹ軸マイナス方向側の端縁に配置された側壁であり、Ｘ軸方向およびＺ軸方向で規定される平面に対して略平行である。第２側壁部３２は、底部２１および天井部２３のＹ軸プラス方向側の端縁に第１側壁部３１と対向配置された側壁であり、第１側壁部３１と略平行である。第３側壁部３３は、底部２１および天井部２３のＸ軸マイナス方向側の端縁に配置された側壁であり、Ｙ軸方向およびＺ軸方向で規定される平面に対して略平行である。第４側壁部３４は、底部２１および天井部２３のＸ軸プラス方向側の端縁に第１側壁部３１と対向配置された側壁であり、第３側壁部３３と略平行である。つまり、第１側壁部３１、第２側壁部３２、第３側壁部３３および第４側壁部３４は、底部２１および天井部２３の周囲を囲んでいる。
【００２５】
なお、金属筐体２０は、第１カバーと第２カバーとが組み合わされて構成されていてもよい。例えば、第１カバーが金属筐体２０のＺ軸マイナス方向側に配置され、第２カバーが金属筐体２０のＺ軸プラス方向側に配置されてもよい。この場合、例えば、第１カバーが底部２１、第１側壁部３１および第２側壁部３２を有し、第２カバーが天井部２３、第３側壁部３３および第４側壁部３４を有していてもよい。
【００２６】
図２の（ｃ）に示すように、底部２１には、Ｚ軸方向に貫通するスリット２１ａが形成されている。スリット２１ａは、電波を通過させる切り欠きであり、本実施の形態では、Ｘ軸方向に長尺な切り欠きである。スリット２１ａの長さは、無線信号の周波数に対応する波長の略半波長以上であることが好ましい。例えば、金属製の梁等の導体５（チャネルとも言う）の上に照明駆動装置１０を設置した場合に、スリット２１ａの長手方向は、導体５と立体交差する。特に、金属製の梁等の導体５に照明駆動装置１０を設置した場合において、スリット２１ａと導体５とをＺ軸方向から見た場合に、スリット２１ａと導体５とが略直交していることが好ましい。
【００２７】
底部２１には、導体５とスリット２１ａとを離間させる絶縁部が設けられている。より詳しくは、スリット２１ａが形成される金属筐体２０の部分には、絶縁部が設けられる。絶縁部は、金属筐体２０を導体５に設置するためのガイド部１１０である。
【００２８】
ガイド部１１０は、照明駆動装置１０を導体５に設置する際に、照明駆動装置１０の長手方向（スリット２１ａの長手方向）と導体５の長手方向とが立体交差するように、照明駆動装置１０を導体５に案内（配置）する部材である。ガイド部１１０は、樹脂等で構成された絶縁性の材料で構成されている。
【００２９】
ガイド部１１０は、底部２１のＺ軸マイナス方向側の面に、スリット２１ａの一部を覆うように設けられている。本実施の形態では、ガイド部１１０は、スリット２１ａの中央部分を覆うように底部２１に固定されている。つまり、図２の（ｃ）および図３の（ａ）に示すように、スリット２１ａと導体５とを平面視した場合に、導体５がスリット２１ａの中央部分と重なるように、ガイド部１１０が導体５を案内する。
【００３０】
ガイド部１１０は、金属筐体２０から着脱自在である。ガイド部１１０は、例えば、ネジ、テープ等の部材で金属筐体２０に固定されている。
【００３１】
図２の（ａ）〜（ｃ）、図３の（ａ）および図３の（ｂ）に示すように、ガイド部１１０は、平板部１１１と、一対の立壁部１１３とを有する。
【００３２】
図２の（ｃ）および図３の（ｂ）に示すように、平板部１１１は、矩形状の平板であり、スリット２１ａの一部を覆うように底部２１のＺ軸マイナス方向側の面に面接触している。
【００３３】
立壁部１１３は、金属筐体２０の動きを抑制する。具体的には、図４に示すように、ガイド部１１０が導体５と係合させて照明駆動装置１０を導体５に設置する際に、一対の立壁部１１３が導体５の両側から挟み込む。つまり、この設置する際に、立壁部１１３が導体５と当接することで、照明駆動装置１０のＸ軸方向への移動が抑制される。
【００３４】
具体的には、一方の立壁部１１３は、平板部１１１のＸ軸プラス方向側の端縁に配置された側壁であり、Ｚ軸方向およびＹ軸方向で規定される平面に対して略平行である。他方の立壁部１１３は、平板部１１１のＸ軸マイナス方向側の端縁に一方の立壁部１１３と対向配置された側壁であり、Ｚ軸方向およびＹ軸方向で規定される平面に対して略平行である。
【００３５】
なお、立壁部１１３は、１つでもよく、３つ以上であってもよく、導体５を挟んでいなくてもよい。
【００３６】
図２の（ａ）および図３の（ａ）に示すように、天井部２３には、Ｚ軸方向に貫通するスリット２１ａが形成されている。スリット２３ａは、本実施の形態では、Ｘ軸方向に長尺な切り欠きである。スリット２３ａの長さは、無線信号の周波数に対応する波長の略半波長以上であることが好ましい。例えば、金属製の梁等の導体５の上に照明駆動装置１０を載置した場合に、スリット２３ａの長手方向は、導体５と立体交差する。特に、金属製の梁等の導体５に照明駆動装置１０を設置した場合において、スリット２１ａと導体５とが略直交するように金属筐体２０が配置されていることが好ましい。言い換えれば、ガイド部１１０は、導体５とスリット２１ａとを平面視した場合に、導体５とスリット２１ａとが略直交するように金属筐体２０を配置する。
【００３７】
なお、金属筐体２０には、３つ以上のスリット２１ａ、２３ａが形成されていてもよく、スリット２１ａだけでもよい。また、スリット２１ａ、２３ａの形状は、特に限定されない。
【００３８】
図１に示すように、駆動回路４１は、器具本体１００の発光装置１０１に電力を供給するための回路（点灯回路）である。具体的には、駆動回路４１は、系統電力などから配線８１を介して供給される交流電力を直流電力に変換して発光装置１０１に供給する。
【００３９】
駆動回路４１は、例えば、プリント配線基板等で形成される。具体的には、駆動回路４１は、交流電力を直流電力に変換するダイオードブリッジ型の整流回路と、ＤＣ−ＤＣコンバータとを有する。なお、駆動回路４１は、整流回路及びＤＣ−ＤＣコンバータと同等の機能を有する１つのＩＣ（Ｉｎｔｅｇｒａｔｅｄ  Ｃｉｒｃｕｉｔ）で実現されてもよい。
【００４０】
図２の（ａ）〜（ｃ）に示すように、通信部４３は、外部の機器（図１のリモートコントローラ９０等）と無線通信をするためのアンテナを有する通信モジュールである。通信部４３は、駆動回路４１と電気的に接続している。通信部４３は、スリット２１ａに接近した状態で設けられている。
【００４１】
図１に示すように、通信部４３は、アンテナと、無線制御回路とを有する。
【００４２】
アンテナは、プリント配線基板に設けられた導電パターンである。アンテナは、無線信号を送信又は受信するためのパターンアンテナである。なお、アンテナは、制御信号の送信及び受信の少なくとも一方を行うアンテナであればよく、パターンアンテナに限定されない。
【００４３】
アンテナが送信又は受信する無線信号の周波数帯は、例えば、ＵＨＦ（Ｕｌｔｒａ  Ｈｉｇｈ  Ｆｒｅｑｕｅｎｃｙ）又はＳＨＦ（Ｓｕｐｅｒ  Ｈｉｇｈ  Ｆｒｅｑｕｅｎｃｙ）帯である。
【００４４】
無線制御回路は、アンテナによる無線信号の送信又は受信の制御を行う集積回路である。本実施の形態では、無線制御回路は、アンテナがリモートコントローラ９０から受信した無線信号に含まれる所定のコマンドを取得する。無線制御回路は、取得したコマンドに応じて電源回路を制御する。具体的には、無線制御回路は、電源回路を制御することで、光源を点灯又は消灯させる。
【００４５】
器具本体１００は、照明駆動装置１０から配線８１を介した電力の供給により照明を行う装置である。器具本体１００は、略円錐台状の筐体である。器具本体１００は、発光装置１０１と、複数の放熱フィンと、取り付け用バネとを有する。
【００４６】
発光装置１０１は、電力の供給により光を発する装置である。発光装置１０１は、光源が実装された基板を有し、所定の光を出射する。本実施の形態では、光源は、例えば、パッケージ化された表面実装（ＳＭＤ：Ｓｕｒｆａｃｅ  Ｍｏｕｎｔ  Ｄｅｖｉｃｅ）型の白色ＬＥＤ素子である。なお、基板上にＬＥＤチップが直接的に実装されたＣＯＢ（Ｃｈｉｐ  Ｏｎ  Ｂｏａｒｄ）型のＬＥＤ素子が用いられる。
【００４７】
放熱フィンは、器具本体１００の外周面において、外側に向けて突出している。放熱フィンは、光源が発光時に発する熱を外部に放出するための金属製のフィンである。放熱フィンは、例えば、器具本体１００と一体に構成される。
【００４８】
取り付け用バネは、器具本体１００の外周面に取り付けられている。取り付け用バネは、器具本体１００の外周面で、外向きに付勢されている。取り付け用バネは、埋込孔３ａへの器具本体１００の取り付けに用いられる。
【００４９】
［解析結果］
本発明者は、照明駆動装置１０を、ガイド部１１０を介して導体５に設置した場合における、通信部４３の平均利得についてのシミュレーション解析を行った。
【００５０】
本解析では、無線通信の周波数を９２０（ＭＨｚ）、スリット２１ａのサイズを幅２（ｍｍ）、長さを１４５（ｍｍ）とした。また、スリット２１ａと導体５とが直交するように、照明駆動装置１０が導体５に配置した。
【００５１】
まず、平均利得とスリット２１ａから導体５までの距離との関係について説明する。
【００５２】
図５の（ａ）は、スリット２１ａから放射される指向特性をＸ軸方向及びＹ軸方向で規定されるＸＹ平面で切断した場合の、平均利得とスリット２１ａから導体５までの距離との関係を示すグラフである。図５の（ｂ）は、スリット２１ａから放射される指向特性をＹ軸方向及びＺ軸方向で規定されるＹＺ平面で切断した場合の、平均利得とスリット２１ａから導体５までの距離との関係を示すグラフである。図５の（ｃ）では、スリット２１ａから放射される指向特性をＺ軸方向及びＸ軸方向で規定されるＺＸ平面で切断した場合の、平均利得とスリット２１ａから導体５までの距離との関係を示すグラフである。
【００５３】
図５において、導体５と底部２１とが接触している場合（スリット２１ａと導体５との距離が０（ｍｍ）の場合）では、いずれのグラフにおいても平均利得が低下している。導体５と底部２１とが僅かにでも離間すると平均利得が向上していることが判る。そして、スリット２１ａと導体５との距離が０（ｍｍ）から２０（ｍｍ）程度の間に平均利得のピークが存在しているという結果を得た。このことから、ガイド部１１０は、導体５とスリット２１ａとの距離を、０（ｍｍ）よりも大きく２０（ｍｍ）以下にする。例えばガイド部１１０の平板部１１１の厚みを０（ｍｍ）よりも大きく、２０（ｍｍ）程度の間にすれば、平均利得の向上が望める。
【００５４】
次に、平均利得についてのシミュレーション解析の結果を説明する。
【００５５】
図６は、ＸＹ平面、ＹＺ平面およびＺＸ平面おける平均利得を示すグラフである。
【００５６】
図６に示すように、ＴＥＳＴ１ではスリット２１ａと導体５との距離が０．８（ｍｍ）の場合を示し、ＴＥＳＴ２では導体５が存在しない場合（スリット２１ａと導体５との距離が無限大）を示し、ＴＥＳＴ３ではスリット２１ａと導体５との距離が０（ｍｍ）（スリット２１ａと導体５とが接触している）の場合を示している。なお、ＴＥＳＴ１〜３では、本実施の形態の照明駆動装置１０を用いている。
【００５７】
ＴＥＳＴ３では、いずれの平面（ＸＹ平面、ＹＺ平面およびＺＸ平面）でも平均利得が−１５（ｄＢｉ）以下となっている。ＴＥＳＴ２では、ＴＥＳＴ３のような平均利得の劣化が生じていないものの、ＸＹ平面およびＹＺ平面の場合で、ＴＥＳＴ１の場合ほど平均利得の向上ができていない。ＴＥＳＴ１では、いずれの平面の場合において平均利得が向上していることがわかる。また、ＴＥＳＴ１のＹＺ平面においては、ＴＥＳＴ３の場合よりも、約２２（ｄＢｉ）の平均利得の向上が見られた。特に、ＸＹ平面およびＹＺ平面において、導体５を設けていない場合よりも導体５からスリット２１ａを僅かに離間させると、約５．１（ｄＢｉ）および約５（ｄＢｉ）の平均利得の向上が見られた。
【００５８】
［作用効果］
次に、本実施の形態における照明駆動装置１０および照明器具１の作用効果について説明する。
【００５９】
上述したように、本実施の形態に係る照明駆動装置１０は、造営材（導体５）に設置される。また、照明駆動装置１０は、電波を通過させるスリット２１ａが形成される金属筐体２０と、金属筐体２０に収容され、無線通信をする通信部４３と、金属筐体２０に収容され、発光装置１０１に電力を供給する駆動回路４１と、金属筐体２０に設けられ、スリット２１ａと造営材（導体５）とを離間させる絶縁部（ガイド部１１０）とを備える。
【００６０】
このように、金属筐体２０を導体５から離間させるガイド部１１０が金属筐体２０に設けられているため、導体５によってスリット２１ａが塞がれることもない。このため、照明器具１の取付け施工時における照明駆動装置１０の配置の制限により、照明駆動装置１０を導体５に配置しても通信部４３の通信性能を向上させることができる。
【００６１】
したがって、導体５に照明駆動装置１０が配置された場合でも、通信部４３の通信機能と通信品質とを確保することができる。
【００６２】
また、本実施の形態に係る照明器具１は、発光装置１０１と、発光装置１０１に電力を供給する照明駆動装置１０とを備える。
【００６３】
このような照明駆動装置１０を用いた照明器具１においても、同様の作用効果を奏する。
【００６４】
また、本実施の形態に係る照明駆動装置１０において、造営材は、導体５である。また、絶縁部は、金属筐体２０を導体５に設置するためのガイド部１１０である。そして、ガイド部１１０は、導体５とスリット２１ａとが立体交差するように、金属筐体２０を導体５に配置する。
【００６５】
このように、導体５とスリット２１ａとが立体交差するようにガイド部１１０が金属筐体２０を導体５に配置するため、通信部４３における、電波強度の確保と通信距離の拡張とを行うことができる。
【００６６】
また、本実施の形態に係る照明駆動装置１０において、導体５は、長尺状をなしている。そして、ガイド部１１０は、導体５とスリット２１ａとを平面視した場合に、導体５とスリット２１ａとが略直交するように金属筐体２０を配置する。
【００６７】
このように、スリット２１ａが導体５に略直交するように、ガイド部１１０が金属筐体２０を導体５に配置するため、通信部４３における、電波強度の確保と通信距離の拡張とをより確実に行うことができる。
【００６８】
また、本実施の形態に係る照明駆動装置１０において、ガイド部１１０は、金属筐体２０の動きを抑制する立壁部１１３を有する。
【００６９】
このように、金属筐体２０の動きを立壁部１１３が抑制するため、照明駆動装置１０を導体５に安定させることができる。
【００７０】
また、本実施の形態に係る照明駆動装置１０において、ガイド部１１０は、一対の立壁部１１３を有する。そして、導体５に照明駆動装置１０を設置する際に、一対の立壁部１１３は、導体５を挟み込む。
【００７１】
このように、立壁部１１３が導体５を挟み込むため、照明駆動装置１０をより強固に導体５に安定させることができる。
【００７２】
また、本実施の形態に係る照明駆動装置１０において、導体５とスリット２１ａとの距離は、２０（ｍｍ）以下である。
【００７３】
この構成によれば、平均利得の向上が望めるため、通信部４３の通信機能と通信品質とを確保することができる。
【００７４】
また、本実施の形態に係る照明駆動装置１０において、絶縁部（ガイド部１１０）は、金属筐体２０から着脱自在である。
【００７５】
この構成によれば、照明器具１を導体５に取付け施工時に、ガイド部１１０を金属筐体２０に装着することで、簡易に照明駆動装置１０の通信部４３の通信機能と通信品質とを確保することができる。
【００７６】
（実施の形態の変形例１）
以下、実施の形態の変形例１に係る照明駆動装置１０について説明する。
【００７７】
図７の（ａ）は、実施の形態の変形例１に係る照明駆動装置１０およびガイド部２１０を示す側面図である。図７の（ｂ）は、実施の形態の変形例１に係る照明駆動装置１０およびガイド部２１０を示す背面図である。
【００７８】
本変形例では、ガイド部２１０の立壁部２１３の形状が異なっている点で実施の形態と相違する。
【００７９】
この照明駆動装置１０における他の構成は、実施の形態の照明駆動装置１０と同様であり、同一の構成については同一の符号を付して構成に関する詳細な説明を省略する。
【００８０】
図７の（ａ）および図７の（ｂ）に示すように、導体５に照明駆動装置１０を設置する際に、ガイド部２１０の立壁部２１３は、導体５を介して対抗するように導体５の両側に配置される。一対の立壁部２１３は、立壁部２１３が立ち上がる方向に向かって幅が広がっている。言い換えれば、一対の立壁部２１３は、導体５に照明駆動装置１０を設置する際に、ガイド部２１０内に導体５を案内し易いように、Ｚ軸マイナス方向に向かうに従い、一対の立壁部２１３の幅が広がっている。
【００８１】
このような、本変形例に係る照明駆動装置１０において、ガイド部２１０は、一対の立壁部２１３を有する。そして、一対の立壁部２１３は、立壁部２１３が立ち上がる方向に向かって幅が広がっている。
【００８２】
このように、立ち上がる方向に向かって一対の立壁部２１３の幅が広がっているため、導体５に照明駆動装置１０を設置する際に、ガイド部２１０内に導体５を案内し易くなる。
【００８３】
本変形例における他の作用効果についても、実施の形態と同様の作用効果を奏する。
【００８４】
（実施の形態の変形例２）
以下、実施の形態の変形例２に係る照明駆動装置１０について説明する。
【００８５】
図８の（ａ）は、実施の形態の変形例２に係る照明駆動装置１０およびガイド部３１０を示す側面図である。図８の（ｂ）は、実施の形態の変形例２に係る照明駆動装置１０およびガイド部３１０を示す背面図である。
【００８６】
本変形例では、スリット２１ａ、２３ａがガイド部３１０に全て覆われている点で実施の形態と相違する。
【００８７】
この照明駆動装置１０における他の構成は、実施の形態の照明駆動装置１０と同様であり、同一の構成については同一の符号を付して構成に関する詳細な説明を省略する。
【００８８】
図８の（ａ）および図８の（ｂ）に示すように、筐体の底部２１に固定されているガイド部３１０は、底部２１のスリット２１ａの全てを覆っている。ガイド部３１０における２つの立壁部３１３は、２つの立壁部３１３で導体５を挟み込むことができるように、平板部３１１の中程に配置されている。
【００８９】
また、天井部２３には、スリット２３ａの全てを覆うカバー部３５０（絶縁部の一例）が設けられている。なお、この場合、ガイド部３１０とカバー部３５０とは、別部材であるが、１つに一体化されていてもよい。
【００９０】
このような、本変形例に係る照明駆動装置１０において、金属筐体２０には、複数のスリット２１ａが形成されている。そして、複数のスリット２１ａ、２３ａが形成される金属筐体２０の部分には、絶縁部（ガイド部１１０）が設けられる。
【００９１】
このように、金属筐体２０に形成された複数のスリット２１ａ、２３ａにガイド部３１０およびカバー部３５０が設けられるため、例えばスリット２１ａが他の導体に塞がれたとしても、スリット２３ａから通信を行うことができる。このため、照明駆動装置１０では、通信部４３の通信機能と通信品質とを確保することができる。
【００９２】
また、本変形例に係る照明駆動装置１０において、絶縁部（ガイド部１１０）は、スリット２１ａの全てを覆う。
【００９３】
このように、絶縁部（ガイド部１１０およびカバー部３５０）がスリット２１ａ、２３ａの全てを覆うため、照明駆動装置１０を導体５に設置した後に、不意に照明駆動装置１０が転倒しても、導体５および他の導体に塞がれることもない。このため、照明駆動装置１０では、通信部４３の通信機能と通信品質とを確保することができる。
【００９４】
本変形例における他の作用効果についても、実施の形態と同様の作用効果を奏する。
【００９５】
（実施の形態の変形例３）
以下、実施の形態の変形例３に係る照明駆動装置１０について説明する。
【００９６】
図９の（ａ）は、実施の形態の変形例３に係る照明駆動装置１０およびガイド部４１０を示す側面図である。図９の（ｂ）は、実施の形態の変形例３に係る照明駆動装置１０およびガイド部４１０を示す背面図である。
【００９７】
本変形例では、ガイド部４１０が導体５を案内する位置がスリット２１ａの端部側である点等で実施の形態と相違する。
【００９８】
この照明駆動装置１０における他の構成は、実施の形態の照明駆動装置１０と同様であり、同一の構成については同一の符号を付して構成に関する詳細な説明を省略する。
【００９９】
図９の（ａ）および図９の（ｂ）に示すように、ガイド部４１０は、Ｘ軸方向に長尺な板状の部材であり、スリット２１ａの全てを覆っている。ガイド部４１０には、Ｚ軸プラス方向に凹み、導体５を案内する案内溝４１１が形成されている。案内溝４１１は、Ｚ軸プラス方向に向かうに従い、幅が狭くなっている。案内溝４１１は、ガイド部４１０の端部側に形成されている。本変形例では、照明駆動装置１０とガイド部４１０とをＺ軸マイナス方向から見た場合において、Ｘ軸マイナス方向側に形成されている。なお、案内溝４１１は、ガイド部４１０において、Ｘ軸プラス方向側に形成されていてもよい。
【０１００】
この場合に、照明器具１の取付け施工の環境による導体５の配置に応じて、照明駆動装置１０を導体５に配置することができる。このため、照明器具１の取付け施工の自由度が損なわれ難い。
【０１０１】
本変形例における他の作用効果についても、実施の形態と同様の作用効果を奏する。
【０１０２】
（その他の実施の形態）
以上、実施の形態および実施の形態の変形例１〜３について説明したが、本発明は、上記実施の形態および実施の形態の変形例１〜３に限定されるものではない。
【０１０３】
例えば、上記実施の形態では、無線制御回路は、ＺｉｇＢｅｅ（登録商標）を用いて通信を行ってもよく、Ｂｌｕｅｔｏｏｔｈ（登録商標）、無線ＬＡＮ（Ｌｏｃａｌ  Ａｒｅａ  Ｎｅｔｗｏｒｋ）等を用いて通信を行ってもよい。
【０１０４】
以上、本発明の一つまたは複数の態様について、実施の形態および実施の形態の変形例１〜３に基づいて説明したが、本発明は、この実施の形態および実施の形態の変形例１〜３に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【符号の説明】
【０１０５】
１  照明器具
５  導体（造営材）
１０  照明駆動装置
２０  金属筐体
２１ａ、２３ａ  スリット
４１  駆動回路
４３  通信部
１０１  発光装置
１１０、２１０、３１０、４１０  ガイド部（絶縁部）
１１３、２１３、３１３  立壁部
【図１】
2018133315.tif 000003
【図２】
2018133315.tif 000004
【図３】
2018133315.tif 000005
【図４】
2018133315.tif 000006
【図５】
2018133315.tif 000007
【図６】
2018133315.tif 000008
【図７】
2018133315.tif 000009
【図８】
2018133315.tif 000010
【図９】
2018133315.tif 000011